【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
セキュアエレメント（ＳＥ）を使用する通信の方法であって、
前記ＳＥに格納された情報を通じてアクセス可能なアプリケーションにアクセスするための要求を受信することと、ここにおいて、前記ＳＥは、プロセッサと、ランダムアクセスメモリ（ＲＡＭ）と、不揮発性メモリ（ＮＶＭ）とを備える、
前記ＳＥのセキュアなコンポーネントに格納された、前記アプリケーションと関連づけられた前記情報の第１の部分を取り出すことと、ここにおいて、前記セキュアなコンポーネントは、前記プロセッサおよび前記ＲＡＭを備える、
前記ＳＥの非セキュアなコンポーネントから前記ＳＥの前記非セキュアなコンポーネントに格納された、前記アプリケーションと関連づけられた前記情報の第２の部分を取得することと、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記アプリケーションへのアクセスを容易にすることと、
を備え、
ここにおいて、前記非セキュアなコンポーネントの前記ＮＶＭはアプリケーションを格納し、前記セキュアなコンポーネントは前記アプリケーションと関連づけられたキーシステムを格納する、方法。
【請求項２】
前記要求は、前記ＳＥと通信デバイスの間の暗号的にセキュアなインタフェースを通じて受信される、請求項１に記載の方法。
【請求項３】
前記ＳＥの前記非セキュアなコンポーネント内に含まれる前記ＮＶＭは、標準ＮＶＭを備え、または前記ＳＥの前記セキュアなコンポーネントは、セキュリティシールディングを使用してセキュアにされる、請求項１に記載の方法。
【請求項４】
前記ＳＥの前記セキュアなコンポーネントが、システムオンチップ（ＳｏＣ）に統合されるか、
特に、前記ＳｏＣが、近距離無線通信コントローラ（ＮＦＣＣ）であるか、
特に、前記ＳｏＣが、移動局モデム（ＭＳＭ）チップであるか、
特に、前記ＳｏＣ上の前記ＳＥのフットプリントが、前記ＳｏＣに前記ＳＥの前記セキュアなコンポーネントのみを統合することによって最小化されるか、または
特に前記セキュアなコンポーネントのためのセキュリティシールディングが、前記ＳｏＣと関連づけられた１つまたは複数の既存の金属層を含む、
請求項１に記載の方法。
【請求項５】
前記取得することは、前記ＳＥの前記非セキュアなコンポーネントと前記ＳＥの前記セキュアなコンポーネントの間の高速インタフェースを使用することを備える、請求項１に記載の方法。
【請求項６】
前記ＳＥの前記非セキュアなコンポーネントに格納された、前記アプリケーションと関連づけられた前記情報の前記第２の部分は、前記セキュアなコンポーネントに格納された、前記アプリケーションと関連づけられた前記情報の前記第１の部分に基づいて、暗号化されたフォーマットで格納される、請求項１に記載の方法。
【請求項７】
前記アクセスすることは、前記情報の前記第１の部分に含まれる１つまたは複数の暗号に基づいて、前記ＳＥの前記セキュアなコンポーネントに含まれる前記プロセッサによって、前記情報の前記第２の部分を解読することをさらに備える、請求項６に記載の方法。
【請求項８】
通信のための装置であって、
セキュアエレメント（ＳＥ）に格納された情報を通じてアクセス可能なアプリケーションにアクセスするための要求を受信するための手段と、ここにおいて、前記ＳＥは、プロセッサと、ランダムアクセスメモリ（ＲＡＭ）と、不揮発性メモリ（ＮＶＭ）とを備える、
前記ＳＥのセキュアなコンポーネントに格納された、前記アプリケーションと関連づけられた前記情報の第１の部分を取り出すための手段と、ここにおいて、前記セキュアなコンポーネントは、前記プロセッサおよび前記ＲＡＭを備える、
前記ＳＥの非セキュアなコンポーネントに格納された、前記アプリケーションと関連づけられた前記情報の第２の部分を前記ＳＥの非セキュアなコンポーネントから取得するための手段と、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記アプリケーションへのアクセスを容易にするための手段と
を備え、
ここにおいて、前記非セキュアなコンポーネントの前記ＮＶＭはアプリケーションを格納し、前記セキュアなコンポーネントは前記アプリケーションと関連づけられたキーシステムを格納する、装置。
【請求項９】
前記要求は、前記ＳＥと通信デバイスの間の暗号的にセキュアなインタフェースを通じて受信される、請求項８に記載の装置。
【請求項１０】
前記ＳＥの前記非セキュアなコンポーネント内に含まれる前記ＮＶＭが、標準ＮＶＭを備えるか、
前記ＳＥの前記セキュアなコンポーネントが、セキュリティシールディングを使用してセキュアにされる、
請求項８に記載の装置。
【請求項１１】
前記ＳＥの前記セキュアなコンポーネントが、システムオンチップ（ＳｏＣ）に統合され、
特に、前記ＳｏＣが、近距離無線通信コントローラ（ＮＦＣＣ）であるか、
特に、前記ＳｏＣが、移動局モデム（ＭＳＭ）チップであるか、または
特に、前記ＳｏＣ上の前記ＳＥのフットプリントが、前記ＳｏＣに前記ＳＥの前記セキュアなコンポーネントのみを統合することによって最小化される、
請求項８に記載の装置。
【請求項１２】
前記セキュアなコンポーネントのためのセキュリティシールディングは、前記ＳｏＣと関連づけられた１つまたは複数の既存の金属層を含み、
特に、前記取得するための手段は、前記ＳＥの前記非セキュアなコンポーネントと前記ＳＥの前記セキュアなコンポーネントの間の高速インタフェースを使用するようにさらに構成される、
請求項１１に記載の装置。
【請求項１３】
前記ＳＥの前記非セキュアなコンポーネントに格納された、前記アプリケーションと関連づけられた前記情報の前記第２の部分は、前記セキュアなコンポーネントに格納された、前記アプリケーションと関連づけられた前記情報の前記第１の部分に基づいて、暗号化されたフォーマットで格納される、請求項８に記載の装置。
【請求項１４】
前記アクセスを容易にするための手段は、前記情報の前記第１の部分に含まれる１つまたは複数の暗号に基づいて、前記情報の前記第２の部分を解読するようにさらに構成される、請求項１３に記載の装置。
【請求項１５】
コンピュータ上で実行されたとき、請求項１から７のうちのいずれか１にしたがった方法のステップを実行するための命令を備える、コンピュータプログラム。
【手続補正２】
【補正対象書類名】明細書
【補正対象項目名】００６０
【補正方法】変更
【補正の内容】
【００６０】
[0065]  上記の開示は、例示的な態様および/または態様を説明している一方で、説明された態様および／または添付の特許請求の範囲によって定義された態様の範囲から逸脱することなく、様々な変更および修正が本明細書で行われうることに留意されたい。さらに、説明された態様および/または態様の要素は、単数形で説明または特許請求されうるが、単数形に限定することが明記されていない限り、複数形が企図される。さらに、任意の態様および/または態様の全部または一部は、別段の規定がない限り、任意の他の態様および/または態様の全部または一部とともに利用されうる。
以下に、本願出願の当初の特許請求の範囲に記載された発明を付記する。
[Ｃ１]
通信のための装置であって、
プロセッサと、ランダムアクセスメモリ（ＲＡＭ）と、不揮発性メモリ（ＮＶＭ）とを備えるセキュアエレメント（ＳＥ）を備え、ここにおいて、前記ＳＥは、前記ＳＥのセキュアなコンポーネントと、前記ＳＥの非セキュアなコンポーネントとをさらに備え、前記非セキュアなコンポーネントと前記セキュアなコンポーネントは、インタフェースを通じて結合され、前記ＳＥは、
前記ＳＥに格納された情報を通じてアクセス可能な機能にアクセスするための要求を受信し、
前記ＳＥの前記セキュアなコンポーネントに格納された、前記機能と関連づけられた前記情報の第１の部分を取り出し、ここにおいて、前記セキュアなコンポーネントは、前記プロセッサおよび前記ＲＡＭを備える、
前記ＳＥの前記非セキュアなコンポーネントに格納された、前記機能と関連づけられた前記情報の第２の部分を取得し、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記機能へのアクセスを容易にする
ように構成される、装置。
[Ｃ２]
前記機能は、通信デバイス上に格納されたアプリケーションであり、前記要求は、前記ＳＥと前記通信デバイスの間の暗号的にセキュアなインタフェースを通じて受信される、Ｃ１に記載の装置。
[Ｃ３]
前記ＳＥの前記非セキュアなコンポーネント内に含まれる前記ＮＶＭは、標準ＮＶＭを備える、Ｃ１に記載の装置。
[Ｃ４]
前記ＳＥの前記セキュアなコンポーネントは、セキュリティシールディングを使用してセキュアにされる、Ｃ１に記載の装置。
[Ｃ５]
前記ＳＥの前記セキュアなコンポーネントは、システムオンチップ（ＳｏＣ）に統合される、Ｃ１に記載の装置。
[Ｃ６]
前記ＳｏＣは、近距離無線通信コントローラ（ＮＦＣＣ）である、Ｃ５に記載の装置。
[Ｃ７]
前記ＳｏＣは、移動局モデム（ＭＳＭ）チップである、Ｃ５に記載の装置。
[Ｃ８]
前記ＳｏＣ上の前記ＳＥのフットプリントは、前記ＳｏＣに前記ＳＥの前記セキュアなコンポーネントのみを統合することによって最小化される、Ｃ５に記載の装置。
[Ｃ９]
前記ＳＥの前記セキュアなコンポーネントは、６５ｎｍ以下の形状を有する、Ｃ８に記載の装置。
[Ｃ１０]
前記セキュアなコンポーネントのためのセキュリティシールディングは、前記ＳｏＣと関連づけられた１つまたは複数の既存の金属層を含む、Ｃ５に記載の装置。
[Ｃ１１]
前記ＳＥは、前記ＳＥの前記非セキュアなコンポーネントと前記ＳＥの前記セキュアなコンポーネントの間の高速インタフェースを使用するようにさらに構成される、Ｃ１に記載の装置。
[Ｃ１２]
前記ＳＥの前記非セキュアなコンポーネントに格納された、前記機能と関連づけられた前記情報の前記第２の部分は、前記セキュアなコンポーネントに格納された、前記機能と関連づけられた前記情報の前記第１の部分に基づいて、暗号化されたフォーマットで格納される、Ｃ１に記載の装置。
[Ｃ１３]
前記ＳＥは、前記情報の前記第１の部分に含まれる１つまたは複数の暗号に基づいて、前記ＳＥの前記セキュアなコンポーネントに含まれる前記プロセッサを使用して、前記情報の前記第２の部分を解読するようにさらに構成される、Ｃ１２に記載の装置。
[Ｃ１４]
セキュアエレメント（ＳＥ）を使用する通信の方法であって、
前記ＳＥに格納された情報を通じてアクセス可能な機能にアクセスするための要求を受信することと、ここにおいて、前記ＳＥは、プロセッサと、ランダムアクセスメモリ（ＲＡＭ）と、不揮発性メモリ（ＮＶＭ）とを備える、
前記ＳＥのセキュアなコンポーネントに格納された、前記機能と関連づけられた前記情報の第１の部分を取り出すことと、ここにおいて、前記セキュアなコンポーネントは、前記プロセッサおよび前記ＲＡＭを備える、
前記ＳＥの非セキュアなコンポーネントに格納された、前記機能と関連づけられた前記情報の第２の部分を取得することと、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記機能へのアクセスを容易にすることと
を備える方法。
[Ｃ１５]
前記機能は、通信デバイス上に格納されたアプリケーションであり、前記要求は、前記ＳＥと前記通信デバイスの間の暗号的にセキュアなインタフェースを通じて受信される、Ｃ１４に記載の方法。
[Ｃ１６]
前記ＳＥの前記非セキュアなコンポーネント内に含まれる前記ＮＶＭは、標準ＮＶＭを備える、Ｃ１４に記載の方法。
[Ｃ１７]
前記ＳＥの前記セキュアなコンポーネントは、セキュリティシールディングを使用してセキュアにされる、Ｃ１４に記載の方法。
[Ｃ１８]
前記ＳＥの前記セキュアなコンポーネントは、システムオンチップ（ＳｏＣ）に統合される、Ｃ１４に記載の方法。
[Ｃ１９]
前記ＳｏＣは、近距離無線通信コントローラ（ＮＦＣＣ）である、Ｃ１８に記載の方法。
[Ｃ２０]
前記ＳｏＣは、移動局モデム（ＭＳＭ）チップである、Ｃ１８に記載の方法。
[Ｃ２１]
前記ＳｏＣ上の前記ＳＥのフットプリントは、前記ＳｏＣに前記ＳＥの前記セキュアなコンポーネントのみを統合することによって最小化される、Ｃ１８に記載の方法。
[Ｃ２２]
前記ＳＥの前記セキュアなコンポーネントは、６５ｎｍ以下の形状を有する、Ｃ２１に記載の方法。
[Ｃ２３]
前記セキュアなコンポーネントのためのセキュリティシールディングは、前記ＳｏＣと関連づけられた１つまたは複数の既存の金属層を含む、Ｃ１８に記載の方法。
[Ｃ２４]
前記取得することは、前記ＳＥの前記非セキュアなコンポーネントと前記ＳＥの前記セキュアなコンポーネントの間の高速インタフェースを使用することを備える、Ｃ１４に記載の方法。
[Ｃ２５]
前記ＳＥの前記非セキュアなコンポーネントに格納された、前記機能と関連づけられた前記情報の前記第２の部分は、前記セキュアなコンポーネントに格納された、前記機能と関連づけられた前記情報の前記第１の部分に基づいて、暗号化されたフォーマットで格納される、Ｃ１４に記載の方法。
[Ｃ２６]
前記アクセスすることは、前記情報の前記第１の部分に含まれる１つまたは複数の暗号に基づいて、前記ＳＥの前記セキュアなコンポーネントに含まれる前記プロセッサによって、前記情報の前記第２の部分を解読することをさらに備える、Ｃ２５に記載の方法。
[Ｃ２７]
通信のための装置であって、
セキュアエレメント（ＳＥ）に格納された情報を通じてアクセス可能な機能にアクセスするための要求を受信するための手段と、ここにおいて、前記ＳＥは、プロセッサと、ランダムアクセスメモリ（ＲＡＭ）と、不揮発性メモリ（ＮＶＭ）とを備える、
前記ＳＥのセキュアなコンポーネントに格納された、前記機能と関連づけられた前記情報の第１の部分を取り出すための手段と、ここにおいて、前記セキュアなコンポーネントは、前記プロセッサおよび前記ＲＡＭを備える、
前記ＳＥの非セキュアなコンポーネントに格納された、前記機能と関連づけられた前記情報の第２の部分を取得するための手段と、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記機能へのアクセスを容易にための手段と
を備える装置。
[Ｃ２８]
前記機能は、通信デバイス上に格納されたアプリケーションであり、前記要求は、前記ＳＥと前記通信デバイスの間の暗号的にセキュアなインタフェースを通じて受信される、Ｃ２７に記載の装置。
[Ｃ２９]
前記ＳＥの前記非セキュアなコンポーネント内に含まれる前記ＮＶＭは、標準ＮＶＭを備える、Ｃ２７に記載の装置。
[Ｃ３０]
前記ＳＥの前記セキュアなコンポーネントは、セキュリティシールディングを使用してセキュアにされる、Ｃ２７に記載の装置。
[Ｃ３１]
前記ＳＥの前記セキュアなコンポーネントは、システムオンチップ（ＳｏＣ）に統合される、Ｃ２７に記載の装置。
[Ｃ３２]
前記ＳｏＣは、近距離無線通信コントローラ（ＮＦＣＣ）である、Ｃ３１に記載の装置。
[Ｃ３３]
前記ＳｏＣは、移動局モデム（ＭＳＭ）チップである、Ｃ３１に記載の装置。
[Ｃ３４]
前記ＳｏＣ上の前記ＳＥのフットプリントは、前記ＳｏＣに前記ＳＥの前記セキュアなコンポーネントのみを統合することによって最小化される、Ｃ３１に記載の装置。
[Ｃ３５]
前記ＳＥの前記セキュアなコンポーネントは、６５ｎｍ以下の形状を有する、Ｃ３４に記載の装置。
[Ｃ３６]
前記セキュアなコンポーネントのためのセキュリティシールディングは、前記ＳｏＣと関連づけられた１つまたは複数の既存の金属層を含む、Ｃ３１に記載の装置。
[Ｃ３７]
前記取得するための手段は、前記ＳＥの前記非セキュアなコンポーネントと前記ＳＥの前記セキュアなコンポーネントの間の高速インタフェースを使用するようにさらに構成される、Ｃ３６に記載の装置。
[Ｃ３８]
前記ＳＥの前記非セキュアなコンポーネントに格納された、前記機能と関連づけられた前記情報の前記第２の部分は、前記セキュアなコンポーネントに格納された、前記機能と関連づけられた前記情報の前記第１の部分に基づいて、暗号化されたフォーマットで格納される、Ｃ２７に記載の装置。
[Ｃ３９]
前記アクセスを容易にするための手段は、前記情報の前記第１の部分に含まれる１つまたは複数の暗号に基づいて、前記情報の前記第２の部分を解読するようにさらに構成される、Ｃ３８に記載の装置。
[Ｃ４０]
コンピュータプログラム製品であって、
前記ＳＥに格納された情報を通じてアクセス可能な機能にアクセスするための要求を受信することと、ここにおいて、前記ＳＥは、プロセッサと、ランダムアクセスメモリ（ＲＡＭ）と、不揮発性メモリ（ＮＶＭ）とを備える、
前記ＳＥのセキュアなコンポーネントに格納された、前記機能と関連づけられた前記情報の第１の部分を取り出すことと、ここにおいて、前記セキュアなコンポーネントは、前記プロセッサおよび前記ＲＡＭを備える、
前記ＳＥの非セキュアなコンポーネントに格納された、前記機能と関連づけられた前記情報の第２の部分を取得することと、ここにおいて、前記非セキュアなコンポーネントは、実質的にすべての前記ＮＶＭを備える、
前記情報の前記第２の取得された部分へのアクセスを可能にするために、前記情報の前記第１の取り出された部分を使用して、前記機能へのアクセスを容易にすることと
のためのコードを備えるコンピュータ可読媒体、
を備えるコンピュータプログラム製品。